(57)【特許請求の範囲】
【請求項１】
複数のコネクタ取付部を有し、これら各コネクタ取付部に同一の被スライドロック部が設けられたコネクタブロック本体と、前記各コネクタ取付部に対応して用意され、それぞれが前記被スライドロック部にスライドロック可能な同一のスライドロック部を有する複数のコネクタと、からなり、
前記各被スライドロック部またはその近傍に、それぞれのコネクタ取付部に対して適正な組み合わせのコネクタをロックさせようとした場合にのみスライドロックを許可し、不適正な組み合わせのコネクタをロックさせようとした場合に互いに干渉してスライドロックを阻止する誤組付防止部が設けられており、
前記誤組付防止部の一つが、前記被スライドロック部の要素として設けられた一対のスライド溝の間に突設されて、適正な組み合わせのコネクタが進入してきたときに、該コネクタの前記スライドロック部の上側に設けた凹部に受容されることで該コネクタのスライドロックを許可すると共に、不適正な組み合わせのコネクタが進入してきたときに該コネクタの正面壁に衝突することでスライドロックを阻止するリブよりなり、
前記誤組付防止部の他の一つが、前記被スライドロック部に隣接した側方部に配置され、適正な組み合わせのコネクタが進入してきたときに該コネクタの側部底面の空所に受容されることで該コネクタのスライドロックを許可すると共に、不適正な組み合わせのコネクタが進入してきたときに該コネクタのハウジング外に突出する側部底面の凸部に衝突することでスライドロックを阻止するリブよりなることを特徴とするコネクタブロック。
【発明の詳細な説明】
【技術分野】
【０００１】
本発明は、複数のコネクタを搭載したコネクタブロックに関するものである。
【背景技術】
【０００２】
従来、複数のコネクタを１つのケース部材（本明細書では、この部材をコネクタブロック本体という）に取り付ける場合、間違ったコネクタを取り付けないように、誤組付防止構造を設けることが行われている（例えば、特許文献１、特許文献２参照）。
【０００３】
従来の誤組付防止構造としては、コネクタを組み付ける相手側であるケース部材の各コネクタ取付部に、互いに形状の異なる突起を設け、コネクタのハウジングに、組み合わせが適切な場合にだけ各突起の嵌まる凹所を設けた例が示されている。
【特許文献１】特開平１０−２２８９４３号公報
【特許文献１】実開昭６０−１５２２７２号公報
【発明の開示】
【発明が解決しようとする課題】
【０００４】
ところで、従来の誤組付防止構造は、通常のコネクタのハウジングに対する変更が大きいため、実現に当たりコストがかかるという問題があった。
【０００５】
本発明は、上記事情を考慮し、低コストで簡単に実現可能な誤組付防止構造を備えたコネクタブロックを提供することを目的とする。
【課題を解決するための手段】
【０００６】
複数のコネクタ取付部を有し、これら各コネクタ取付部に同一の被スライドロック部が設けられたコネクタブロック本体と、前記各コネクタ取付部に対応して用意され、それぞれが前記被スライドロック部にスライドロック可能な同一のスライドロック部を有する複数のコネクタと、からなり、前記各被スライドロック部またはその近傍に、それぞれのコネクタ取付部に対して適正な組み合わせのコネクタをロックさせようとした場合にのみスライドロックを許可し、不適正な組み合わせのコネクタをロックさせようとした場合に互いに干渉してスライドロックを阻止する誤組付防止部が設けられており、前記誤組付防止部の一つが、前記被スライドロック部の要素として設けられた一対のスライド溝の間に突設されて、適正な組み合わせのコネクタが進入してきたときに、該コネクタの前記スライドロック部の上側に設けた凹部に受容されることで該コネクタのスライドロックを許可すると共に、不適正な組み合わせのコネクタが進入してきたときに該コネクタの正面壁に衝突することでスライドロックを阻止するリブよりなり、前記誤組付防止部の他の一つが、前記被スライドロック部に隣接した側方部に配置され、適正な組み合わせのコネクタが進入してきたときに該コネクタの側部底面の空所に受容されることで該コネクタのスライドロックを許可すると共に、不適正な組み合わせのコネクタが進入してきたときに該コネクタのハウジング外に突出する側部底面の凸部に衝突することでスライドロックを阻止するリブよりなる、ことを特徴としている。
【発明の効果】
【０００７】
請求項１の発明によれば、各被スライドロック部またはその近傍に、それぞれのコネクタ取付部に対して適正な組み合わせのコネクタをロックさせようとした場合にのみスライドロックを許可し、不適正な組み合わせのコネクタをロックさせようとした場合に互いに干渉してスライドロックを阻止する誤組付防止部が設けられているので、間違った組み付けを防止することができる。
【０００８】
特に、誤組付防止部の一つを、間違ったコネクタが進入してきたときに、そのコネクタの正面壁に衝突することで、スライドロックを阻止するリブで構成し、誤組付防止部の他の一つを、間違ったコネクタが進入してきたときに、そのハウジング外に突出する側部底面の凸部に衝突することで、スライドロックを阻止するリブで構成したので、コネクタ側に対する追加要素を最小限にしながら、コネクタの誤組付防止を図ることができる。
【発明を実施するための最良の形態】
【０００９】
以下、本発明の実施形態を図面を参照しながら説明する。
【００１０】
図１は実施形態のコネクタブロックの本体とコネクタの関係を示す概略斜視図、図２は第１のコネクタの正面図、図３は第１のコネクタの側面図、図４は第１のコネクタの縦断面図、図５は第２のコネクタの正面図、図６は第２のコネクタの縦断面図である。また、図７はコネクタブロック本体側の被スライドロック部とコネクタ側のスライドロック部の組み合わせの例を概略的に示す図、図８は図７の（ａ）の組み合わせを示す断面図、図９は図７の（ｂ）の組み合わせを示す断面図、図１０は図７の（ｃ）の組み合わせを示す断面図、図１１は図７の（ｄ）の組み合わせを示す断面図である。
【００１１】
この実施形態のコネクタブロックは、図１に示すように、互いに隣接した２つのコネクタ取付部２０Ａ、２０Ｂを有し、各コネクタ取付部２０Ａ、２０Ｂに同一の被スライドロック部２３が設けられたコネクタブロック本体１０と、各コネクタ取付部２０Ａ、２０Ｂに対応して用意され、それぞれが被スライドロック部２３にスライドロック可能な同一のスライドロック部６３（図３、図５参照）を有する２つのコネクタ５０Ａ、５０Ｂと、からなる。ここでは、第１のコネクタ５０Ａは、レバー５２を有するＬＩＦ（Low Insertion Force＝低挿入力）コネクタよりなり、第２のコネクタ５０Ｂは、一般的なコネクタよりなる。
【００１２】
コネクタブロック本体１０側の被スライドロック部２３とコネクタ５０Ａ、５０Ｂ側のスライドロック部６３は、図７に示すように、断面Ｌ字形の一対のスライド溝２１と断面Ｌ字形の一対のスライドレール６１、６１の位置を互いに合わせて、相互にスライド係合させることにより、図１に示すロック孔２２と図４、図６に示すロック突起６２が係合して、コネクタ５０Ａ、５０Ｂをスライド方向、及び、それと直交する方向に動かないように固定するものである。
【００１３】
この実施形態のコネクタブロック本体１０では、図１に示すように、各被スライドロック部２３またはその近傍に、それぞれのコネクタ取付部２０Ａ、２０Ｂに対して適正な組み合わせのコネクタ５０Ａ、５０Ｂをロックさせようとした場合にのみスライドロックを許可し、不適正な組み合わせのコネクタ５０Ｂ、５０Ａをロックさせようとした場合に互いに干渉してスライドロックを阻止する誤組付防止部としてのリブ２５、２６が設けられている。
【００１４】
図７に示すように、いま、第１のコネクタ取付部２０Ａに対して適正な組み合わせのコネクタは第１のコネクタ５０Ａであり（○印）、第２のコネクタ取付部２０Ｂに対して適正な組み合わせのコネクタは第２のコネクタ５０Ｂである（○印）。つまり、その反対の組み合わせは不適正な組み合わせである（×印）。
【００１５】
そこで、誤組付防止部の一つである第１のリブ２５は、図１に示すように、第１のコネクタ取付部２０Ａの被スライドロック部２３の一対のスライド溝２１、２１の間に突設してある。この第１のリブ２５は、２本平行に設けられており、図８に示すように、適正な組み合わせの第１のコネクタ５０Ａが進入してきたときには、該コネクタ５０Ａのスライドロック部６３の上側に設けてあるハウジング５１Ａ底面の凹溝部６５Ａに受容されることで、該コネクタ５０Ａのスライドロックを許可する。また、図９に示すように、不適正な組み合わせの第２のコネクタ５０Ｂが進入してきたときには、該コネクタ５０Ｂのハウジング５１Ｂの正面壁６５Ｂに衝突することで、スライドロックを阻止する。
【００１６】
また、誤組付防止部の他の一つである第２のリブ２６は、図１に示すように、第２のコネクタ取付部２０Ｂの被スライドロック部２３に隣接した側方部に配置してある。この第２のリブ２６は、ストッパ壁として設けられており、図１０に示すように、適正な組み合わせの第２のコネクタ５０Ｂが進入してきたときに、該コネクタ５０Ｂの側部底面の空所６６Ｂに受容されることで、該コネクタ５０Ｂのスライドロックを許可する。また、図１１に示すように、不適正な組み合わせのコネクタ５０Ａが進入してきたときに、該コネクタ５０Ａのハウジング５１Ａ外に突出する側部底面の凸部６６Ａに衝突することで、スライドロックを阻止する。
【００１７】
従って、上記の構成のコネクタブロックによれば、間違ったコネクタ５０Ａ、５０Ｂの組み付けを確実に防止することができる。即ち、第１のコネクタ取付部２０Ａに対して第２のコネクタ５０Ｂを取り付けようとした場合は、図９に示すように、リブ６５とコネクタ５０Ｂのハウジング５１Ｂの正面壁６５Ｂが干渉することで、取り付けを阻止することができるし、第２のコネクタ取付部２０Ｂに対して第１のコネクタ５０Ａを取り付けようとした場合は、図１１に示すように、リブ６６とコネクタ５０Ａのハウジング５１Ａの側部底面に存在する凸部６６Ａが干渉することで、取り付けを阻止することができる。
【００１８】
特に、本実施形態のコネクタブロックでは、誤組付防止部の一つを、間違ったコネクタ５０Ｂが進入してきたときに、そのコネクタ５０Ｂの正面壁６５Ｂに衝突することで、スライドロックを阻止する第１のリブ２５で構成し、誤組付防止部の他の一つを、間違ったコネクタ５０Ａが進入してきたときに、そのハウジング５１Ａ外に突出する側部底面の凸部６６Ａに衝突することで、スライドロックを阻止する第２のリブ２６で構成したので、コネクタ５０Ａ、５０Ｂ側に対する追加要素を最小限にしながら、コネクタ５０Ａ、５０Ｂの誤組付防止を図ることができ、低コストで実用化することができる。
【００１９】
なお、上記実施形態では、コネクタ取付部とコネクタの数が２個の場合を示したが、もっと多数である場合にも本発明は適用することができる。
【図面の簡単な説明】
【００２０】
【図１】本発明の実施形態のコネクタブロックの本体とコネクタの関係を示す概略斜視図である。
【図２】同実施形態における第１のコネクタの正面図である。
【図３】同第１のコネクタの側面図である。
【図４】同第１のコネクタの縦断面図である。
【図５】同実施形態における第２のコネクタの正面図である。
【図６】同第２のコネクタの縦断面図である。
【図７】前記コネクタブロック本体側の被スライドロック部とコネクタ側のスライドロック部の組み合わせの例を概略的に示す図である。
【図８】図７の（ａ）の組み合わせを示す断面図である。
【図９】図７の（ｂ）の組み合わせを示す断面図である。
【図１０】図７の（ｃ）の組み合わせを示す断面図である。
【図１１】図７の（ｄ）の組み合わせを示す断面図である。
【符号の説明】
【００２１】
１０  コネクタブロック本体
２０Ａ，２０Ｂ  コネクタ取付部
２１，２１  一対のスライド溝
２３  被スライドロック部
６３  スライドロック部
５０Ａ，５０Ｂ  コネクタ
５０Ａ，５０Ｂ  ハウジング
２５，２６  リブ（誤組付防止部）
６５Ａ  凹部
６５Ｂ  正面壁
６６Ａ  凸部
６６Ｂ  空所
【図１】
0004559352.tif 000002
【図２】
0004559352.tif 000003
【図３】
0004559352.tif 000004
【図４】
0004559352.tif 000005
【図５】
0004559352.tif 000006
【図６】
0004559352.tif 000007
【図７】
0004559352.tif 000008
【図８】
0004559352.tif 000009
【図９】
0004559352.tif 000010
【図１０】
0004559352.tif 000011
【図１１】
0004559352.tif 000012